(57)【特許請求の範囲】
【請求項１】
画像データおよびオーディオデータを記録媒体に記録するデータ記録装置において、
画像データを圧縮符号化することにより発生した可変長画像データと、上記可変長画像データと関連するヘッダ等の非画像データとを含むストリームであって、上記可変長画像データを処理部へ転送可能な期間毎に、転送しない期間を設けたストリームと、上記ストリームと同期して上記転送可能な期間内で転送されるデータの長さを示すイネーブル信号を出力するストリーム変換部と、
上記ストリームおよび上記イネーブル信号が入力され、上記イネーブル信号からデータの長さを検出する処理と、上記可変長画像データおよび上記非画像データを複数の固定枠に配置し、固定枠からはみ出すオーバーフローデータを他の固定枠に生じた空き領域に詰め込むパッキング処理と、エラー訂正符号化の処理と、上記転送しない期間においてなされるオーディオデータのエラー訂正符号化の処理とを行う処理部と、
上記処理部の出力データに対して同期信号を付加し、シンクブロックを形成する同期信号付加部と、
上記同期信号付加部からの上記シンクブロックが連続する出力信号を記録媒体に記録する記録手段とからなることを特徴とするデータ記録装置。
【請求項２】
請求項１において、
上記可変長画像データがＤＣＴと可変長符号化とを組み合わせた圧縮符号化により発生したものであることを特徴とするデータ記録装置。
【請求項３】
請求項１において、
上記処理部がメモリを有し、上記可変長画像データに対する処理と上記オーディオデータに対する処理とが上記メモリを使用してなされることを特徴とするデータ記録装置。
【請求項４】
請求項３において、
上記メモリがＤＲＡＭであることを特徴とするデータ記録装置。
【請求項５】
請求項１において、
上記可変長画像データが１画面を分割した２次元領域毎に発生し、１画面で発生する上記可変長画像データを１画面の上記２次元領域の個数の整数倍の個数の上記固定枠にパッキングし、上記非画像データを一つの上記固定枠にパッキングすることを特徴とするデータ記録装置。
【請求項６】
画像データおよびオーディオデータを記録媒体に記録するデータ記録方法において、
画像データを圧縮符号化することにより発生した可変長画像データと、上記可変長画像データと関連するヘッダ等の非画像データとを含むストリームであって、上記可変長画像データを処理部へ転送可能な期間毎に、転送しない期間を設けたストリームと、上記ストリームと同期して上記転送可能な期間内で転送されるデータの長さを示すイネーブル信号とを、ストリーム変換部が出力するステップと、
上記ストリームおよび上記イネーブル信号が入力され、上記イネーブル信号からデータの長さを検出する処理と、上記可変長画像データおよび上記非画像データを複数の固定枠に配置し、固定枠からはみ出すオーバーフローデータを他の固定枠に生じた空き領域に詰め込むパッキング処理と、エラー訂正符号化の処理と、上記転送しない期間においてなされるオーディオデータのエラー訂正符号化の処理とを行う処理ステップと、
上記処理ステップからの出力データに対して同期信号を付加し、シンクブロックを形成する同期信号付加ステップと、
上記同期信号付加ステップからの上記シンクブロックが連続する出力信号を記録媒体に記録する記録ステップとからなることを特徴とするデータ記録方法。
【請求項７】
画像データおよびオーディオデータを処理するデータ処理装置において、
画像データを圧縮符号化することにより発生した可変長画像データと、上記可変長画像データと関連するヘッダ等の非画像データとを含むストリームであって、上記可変長画像データを処理部へ転送可能な期間毎に、転送しない期間を設けたストリームと、上記ストリームと同期して上記転送可能な期間内で転送されるデータの長さを示すイネーブル信号を出力するストリーム変換部と、
上記ストリームおよび上記イネーブル信号が入力され、上記イネーブル信号からデータの長さを検出する処理と、上記可変長画像データおよび上記非画像データを複数の固定枠に配置し、固定枠からはみ出すオーバーフローデータを他の固定枠に生じた空き領域に詰め込むパッキング処理と、エラー訂正符号化の処理と、上記転送しない期間においてなされるオーディオデータのエラー訂正符号化の処理とを行う処理部とからなることを特徴とするデータ処理装置。
【請求項８】
画像データおよびオーディオデータを処理するデータ処理方法において、
画像データを圧縮符号化することにより発生した可変長画像データと、上記可変長画像データと関連するヘッダ等の非画像データとを含むストリームであって、上記可変長画像データを処理部へ転送可能な期間毎に、転送しない期間を設けたストリームと、上記ストリームと同期して上記転送可能な期間内で転送されるデータの長さを示すイネーブル信号とを、ストリーム変換部が出力するステップと、
上記ストリームおよび上記イネーブル信号が入力され、上記イネーブル信号からデータの長さを検出する処理と、上記可変長画像データおよび上記非画像データを複数の固定枠に配置し、固定枠からはみ出すオーバーフローデータを他の固定枠に生じた空き領域に詰め込むパッキング処理と、エラー訂正符号化の処理と、上記転送しない期間においてなされるオーディオデータのエラー訂正符号化の処理とを行う処理ステップとからなることを特徴とするデータ処理方法。
【発明の詳細な説明】
【０００１】
【発明の属する技術分野】
この発明は、可変長の画像データと共に、可変長の非画像データを記録するために適用されるデータ記録装置、データ記録方法、データ処理装置、およびデータ処理方法に関する
【０００２】
【従来の技術】
ディジタルＶＴＲ(VIdeo Tape Recorder) に代表されるように、ディジタル画像信号を記録媒体に記録し、また、記録媒体から再生するようなデータ記録再生装置が知られている。ディジタル画像記録機器における記録処理部では、ビデオおよびオーディオのディジタルデータを所定長のパケットに格納し、パケット単位にデータの内容を示す情報、エラー訂正符号の符号化を行い、パケット化されたデータ、エラー訂正符号のパリティ等に対して、同期パターン、ＩＤを付加してシンクブロックを構成し、シンクブロックの単位でシリアルデータに変換し、回転ヘッドにより磁気テープに記録される。記録側において、データをシンクブロックのデータ領域に詰め込む処理をパッキングと称し、再生側において、シンクブロックのデータ領域からデータを取り出す処理をデパッキングと称する。また、積符号を使用している時には、パッキングによって積符号のＥＣＣ(Error Correctig Code)ブロックの１行分の長さにデータを詰め込まれる。
【０００３】
画像データのデータ量を圧縮するために、圧縮符号化がなされる。例えばＭＰＥＧ(Moving Picture Experts Group)の場合には、ＤＣＴ(Discrete Cosine Transform) により生じた係数データを可変長符号化する。ヘリカルスキャン型のＶＴＲのように、１トラックまたは所定数のトラック当たりに記録できるデータ量が固定されている時には、所定期間に発生する可変長符号のデータ量が目標値以下となるように、データ量が制御される。そして、所定期間に対して用意されている複数のシンクブロックのデータ領域に可変長符号化データ、すなわち、不等長データをパッキングするようになされる。
【０００４】
ＭＰＥＧにおいて、画像データは、シーケンス、ＧＯＰ(Group Of Picture)、ピクチャ、スライス、マクロブロック、ブロックの６層の階層構造を有しており、各階層の多重化処理がなされる。多重化処理は、ＭＰＥＧにおいてシンタックス(syntax)として規定されており、ピクチャデータ以外に、ＰＥＳ(Packetized Elementary Stream)ヘッダ、シーケンスヘッダ、ＧＯＰヘッダ、スライスヘッダ等のヘッダ情報が多重化される。ヘッダ情報は、ピクチャデータの復号等の処理にとって必要なものであり、ＭＰＥＧのエレメンタリストリームを記録／再生する時には、ピクチャデータと共にヘッダ情報を記録／再生することが必要となる。ヘッダ情報を記録／再生する一つの方法としては、ヘッダ情報の全体またはその中で、再生にとって必要最小限のデータを固定長データとして記録／再生することが考えられる。
【０００５】
しかしながら、ヘッダ情報のデータ量を固定長データとして扱うことが難しい場合がある。一つには、種々の画像データのフォーマットが存在し、ヘッダ情報のデータ量が変動する。例えばアメリカのディジタルテレビジョン放送の画像フォーマットは、１８種類存在している。第２には、ビデオインデックスのデータとか、特定ライン上に多重化されるアンシラリイデータ（クローズドキャプション、テレテキスト、垂直ブランキング期間のタイムコード（ＶＩＴＣ）等）をビデオエレメンタリストリームとして伝送するために、ピクチャヘッダ中のユーザデータに挿入する場合には、ユーザデータのデータ量が変動する。
【０００６】
このように、本来の画像データでないにもかかわらず、そのデータ長が可変であるデータ（ヘッダ情報、ビデオインデックス、アンシラリイデータ等であり、これらを総称してピクチャデータ以外という意味で非画像データと称する）を記録するためには、個々の記録すべき画像フォーマットを考慮して記録領域を割り当てる必要があり、また、発生しうるデータ量の最大量を記録可能な記録領域を確保する必要がある。
【０００７】
画像フォーマットが１種類あるいは２種類程度である場合には、データ量の変動幅を比較的小さく、個々の画像フォーマットに対応して非画像データの記録領域をテープ上で設定することは、それほど難しくない。しかしながら、画像フォーマットの種類が多いと、非画像データのデータ量の変動幅が大きくなったり、予測できなくなり、非画像データ用の記録領域を設定することが難しくなる。また、発生しうるデータ量の最大量を記録可能な領域を設定すると、データ量が多くない時には、テープ上で記録に使用されない無駄な領域が生じ、テープの記録容量を有効に利用できない。そこで、本願出願人は、これらの問題を回避するために、可変長の非画像データを画像データと同等に扱って記録することを提案している。
【０００８】
ここで、パッキング処理の対象のデータが１フレーム期間の画像データのように、大きい場合には、パッキング処理のために使用するメモリが大容量となる。そのためパッキング処理部と同一半導体基板に集積することは難しく、また、コストが上昇する。そこで、メモリとしては、記録処理部から独立した単独のデバイス（素子）を用いることとなる。現在の技術では、記録処理部を集積回路の構成としても、なるべく低いコストでメインメモリを構成しようとすると、ＤＲＡＭ(Dynamic Random Access Memory)、ＥＤＯ(Extended data out) −ＲＡＭ、ＳＤＲＡＭ(Synchronous Dynamic Random Access Memory)といったＤＲＡＭ系のデバイスを用いることが現実的である。さらに、速度を考慮すると、ＳＤＲＡＭを使用することが多い。
【０００９】
また、ディジタルＶＴＲでは、画像の他にオーディオデータも記録する必要がある。そのために、ＳＤＲＡＭには、オーディオデータも書込まれ、記録処理を受ける。また、画像データおよびオーディオデータのそれぞれの順序を１フィールドあるいは１フレーム単位で並び替えることによって、エラー耐性を高めるためのシャフリング処理を行う場合では、その処理のためにＳＤＲＡＭが使用されることがある。
【００１０】
このようなＳＤＲＡＭを備える記録処理部に対する画像データの転送について検討する。ＳＤＲＡＭに対する転送能力は、ＳＤＲＡＭのバス幅と、与えているクロックによって決まる。一つの転送方法として、画像データを連続的に転送するものが考えられる。ＳＤＲＡＭに与えるクロック数は、ＳＤＲＡＭに対してアクセスするデータ量の瞬間最大アクセスレートに備えられている必要がある。若し、画像データをＳＤＲＡＭに対して書込み可能とするためには、それ相当のクロック数を与える必要がある。例えばビデオデータのインターフェースクロックを２７ＭHzとし、データ幅を１６ビットとし、ＳＤＲＡＭのバス幅を３２ビットとした場合には、ビデオデータのみをＳＤＲＡＭに書込み、読出すのに、
２７ＭHz×１６ビット×２（ライトとリード）／３２ビット＝２７ＭHz
以上のクロックが必要である。
【００１１】
実際には、ＳＤＲＡＭのデータを保持するためのリフレッシュや、ロウアドレスを変更するためのプリチャージの際に待ち動作が生じてしまう。この待ち動作に関する量もクロックを高くする必要がある。さらに、オーディオデータも処理する場合には、より高い周波数のクロックが必要となる。従って、現実的には、画像データおよびオーディオデータを連続的に転送するのは難しい。
【００１２】
従って、画像データをＳＤＲＡＭを使用する処理部に転送する時に、画像データ以外のデータをＳＤＲＡＭで処理するために、画像データの処理中にＳＤＲＡＭに対するアクセスの空き期間を作る必要がある。その一つの方法として、画像データの１フレームをバースト的に転送し、１フレーム毎の空き期間を作る方法が考えられる。この方法では、画像データの処理が終わるまで、１フレーム分のオーディオデータを蓄積するバッファメモリが必要となる。または、画像データと時分割でオーディオデータを処理するために、バンド幅を広げる必要がある。バンド幅が高いと消費電力が増大する。従って、１フレーム毎に空き期間を作る方法は、好ましくない。
【００１３】
他の方法として、ＭＰＥＧのスライス単位毎に転送しない期間を作成して、ＳＤＲＡＭに対する転送レートを下げることが考えられる。しかしながら、上述した非画像データのユーザデータ部分に大量のデータが含まれていると、非画像データからなるスライスの長さがおおきくなり、ＳＤＲＡＭに対する連続転送になってしまい、他のデータの処理が連続転送の間できなくなる問題が生じる。
【００１４】
従って、この発明の目的は、上述したようなオーディオバッファ用メモリを必要とする問題、消費電力の増大、非画像データの転送時の問題を解決することができるデータ記録装置、データ記録方法、データ処理装置、およびデータ処理方法を提供することにある。
【００１５】
【課題を解決するための手段】
上述した課題を解決するために、請求項１の発明は、画像データおよびオーディオデータを記録媒体に記録するデータ記録装置において、
画像データを圧縮符号化することにより発生した可変長画像データと、可変長画像データと関連するヘッダ等の非画像データとを含むストリームであって、可変長画像データを処理部へ転送可能な期間毎に、転送しない期間を設けたストリームと、ストリームと同期して転送可能な期間内で転送されるデータの長さを示すイネーブル信号を出力するストリーム変換部と、
ストリームおよびイネーブル信号が入力され、イネーブル信号からデータの長さを検出する処理と、可変長画像データおよび非画像データを複数の固定枠に配置し、固定枠からはみ出すオーバーフローデータを他の固定枠に生じた空き領域に詰め込むパッキング処理と、エラー訂正符号化の処理と、転送しない期間においてなされるオーディオデータのエラー訂正符号化の処理とを行う処理部と、
処理部の出力データに対して同期信号を付加し、シンクブロックを形成する同期信号付加部と、
同期信号付加部からのシンクブロックが連続する出力信号を記録媒体に記録する記録手段とからなることを特徴とするデータ記録装置である。
【００１６】
請求項６の発明は、画像データおよびオーディオデータを記録媒体に記録するデータ記録方法において、
画像データを圧縮符号化することにより発生した可変長画像データと、可変長画像データと関連するヘッダ等の非画像データとを含むストリームであって、可変長画像データを処理部へ転送可能な期間毎に、転送しない期間を設けたストリームと、ストリームと同期して転送可能な期間内で転送されるデータの長さを示すイネーブル信号とを、ストリーム変換部が出力するステップと、
ストリームおよびイネーブル信号が入力され、イネーブル信号からデータの長さを検出する処理と、可変長画像データおよび非画像データを複数の固定枠に配置し、固定枠からはみ出すオーバーフローデータを他の固定枠に生じた空き領域に詰め込むパッキング処理と、エラー訂正符号化の処理と、転送しない期間においてなされるオーディオデータのエラー訂正符号化の処理とを行う処理ステップと、
処理ステップからの出力データに対して同期信号を付加し、シンクブロックを形成する同期信号付加ステップと、
同期信号付加ステップからのシンクブロックが連続する出力信号を記録媒体に記録する記録ステップとからなることを特徴とするデータ記録方法である。
【００１７】
請求項７の発明は、画像データおよびオーディオデータを処理するデータ処理装置において、
画像データを圧縮符号化することにより発生した可変長画像データと、可変長画像データと関連するヘッダ等の非画像データとを含むストリームであって、可変長画像データを処理部へ転送可能な期間毎に、転送しない期間を設けたストリームと、ストリームと同期して転送可能な期間内で転送されるデータの長さを示すイネーブル信号を出力するストリーム変換部と、
ストリームおよびイネーブル信号が入力され、イネーブル信号からデータの長さを検出する処理と、可変長画像データおよび非画像データを複数の固定枠に配置し、固定枠からはみ出すオーバーフローデータを他の固定枠に生じた空き領域に詰め込むパッキング処理と、エラー訂正符号化の処理と、転送しない期間においてなされるオーディオデータのエラー訂正符号化の処理とを行う処理部とからなることを特徴とするデータ処理装置である。
請求項８の発明は、画像データおよびオーディオデータを処理するデータ処理方法において、
画像データを圧縮符号化することにより発生した可変長画像データと、可変長画像データと関連するヘッダ等の非画像データとを含むストリームであって、可変長画像データを処理部へ転送可能な期間毎に、転送しない期間を設けたストリームと、ストリームと同期して転送可能な期間内で転送されるデータの長さを示すイネーブル信号とを、ストリーム変換部が出力するステップと、
ストリームおよびイネーブル信号が入力され、イネーブル信号からデータの長さを検出する処理と、可変長画像データおよび非画像データを複数の固定枠に配置し、固定枠からはみ出すオーバーフローデータを他の固定枠に生じた空き領域に詰め込むパッキング処理と、エラー訂正符号化の処理と、転送しない期間においてなされるオーディオデータのエラー訂正符号化の処理とを行う処理ステップとからなることを特徴とするデータ処理方法である。
【００１８】
画像データは、所定範囲例えばマクロブロックに対応して発生した不等長データからなる。また、画像データの復元に必要な情報、ユーザデータ等の非画像データも発生する。これらの画像データおよび非画像データを転送する時に、データ転送可能な期間中に、データを転送しない期間を設ける。それによって、転送されたデータを受け取った回路ブロックは、空き期間において、他のデータ例えばオーディオデータを処理することができる。従って、オーディオ用のバッファメモリを持つ必要がない。非画像データのデータ量が大きくなっても、所定周期で空き期間が存在するので、連続的転送とならず、バンド幅を高くする必要がない。転送されたデータを受け取った回路ブロックでは、ＤＲＡＭを使用して非画像データを画像データと同等に扱って、固定枠にパッキングする。また、画像データに対するエラー訂正符号化およびオーディオデータに対するエラー訂正符号化の処理を行う。
【００１９】
【発明の実施の形態】
以下、この発明をディジタルＶＴＲに対して適用した一実施形態について説明する。この一実施形態は、放送局の環境で使用して好適なもので、互いに異なる複数のフォーマットのビデオ信号の記録・再生を可能とするものである。例えば、ＮＴＳＣ方式に基づいたインターレス走査で有効ライン数が４８０本の信号（４８０ｉ信号）およびＰＡＬ方式に基づいたインターレス走査で有効ライン数が５７６本の信号（５７６ｉ信号）の両者を殆どハードウエアを変更せずに記録・再生することが可能とされる。さらに、インターレス走査でライン数が１０８０本の信号（１０８０ｉ信号）、プログレッシブ走査（ノンインターレス）でライン数がそれぞれ４８０本、７２０本、１０８０本の信号（４８０ｐ信号、７２０ｐ信号、１０８０ｐ信号）などの記録・再生も行うようにできる。
【００２０】
また、この一実施形態では、ビデオ信号は、ＭＰＥＧ２方式に基づき圧縮符号化される。周知のように、ＭＰＥＧ２は、動き補償予測符号化と、ＤＣＴによる圧縮符号化とを組み合わせたものである。ＭＰＥＧ２のデータ構造は、階層構造をなしており、下位から、ブロック層、マクロブロック層、スライス層、ピクチャ層、ＧＯＰ層およびシーケンス層となっている。
【００２１】
ブロック層は、ＤＣＴを行う単位であるＤＣＴブロックからなる。マクロブロック層は、複数のＤＣＴブロックで構成される。スライス層は、ヘッダ部と、行間をまたがらない任意個のマクロブロックより構成される。ピクチャ層は、ヘッダ部と、複数のスライスとから構成される。ピクチャは、１画面に対応する。ＧＯＰ層は、ヘッダ部と、フレーム内符号化に基づくピクチャであるＩピクチャと、予測符号化に基づくピクチャであるＰおよびＢピクチャとから構成される。
【００２２】
Ｉピクチャ(Intra-coded picture：イントラ符号化画像) は、符号化されるときその画像１枚の中だけで閉じた情報を使用するものである。従って、復号時には、Ｉピクチャ自身の情報のみで復号できる。Ｐピクチャ(Predictive-coded picture ：順方向予測符号化画像）は、予測画像（差分をとる基準となる画像）として、時間的に前の既に復号されたＩピクチャまたはＰピクチャを使用するものである。動き補償された予測画像との差を符号化するか、差分を取らずに符号化するか、効率の良い方をマクロブロック単位で選択する。Ｂピクチャ(Bidirectionally predictive-coded picture ：両方向予測符号化画像）は、予測画像（差分をとる基準となる画像）として、時間的に前の既に復号されたＩピクチャまたはＰピクチャ、時間的に後ろの既に復号されたＩピクチャまたはＰピクチャ、並びにこの両方から作られた補間画像の３種類を使用する。この３種類のそれぞれの動き補償後の差分の符号化と、イントラ符号化の中で、最も効率の良いものをマクロブロック単位で選択する。
【００２３】
従って、マクロブロックタイプとしては、フレーム内符号化(Intra) マクロブロックと、過去から未来を予測する順方向(Foward)フレーム間予測マクロブロックと、未来から過去を予測する逆方向(Backward)フレーム間予測マクロブロックと、前後両方向から予測する両方向マクロブロックとがある。Ｉピクチャ内の全てのマクロブロックは、フレーム内符号化マクロブロックである。また、Ｐピクチャ内には、フレーム内符号化マクロブロックと順方向フレーム間予測マクロブロックとが含まれる。Ｂピクチャ内には、上述した４種類の全てのタイプのマクロブロックが含まれる。
【００２４】
ＧＯＰには、最低１枚のＩピクチャが含まれ、ＰおよびＢピクチャは、存在しなくても許容される。最上層のシーケンス層は、ヘッダ部と複数のＧＯＰとから構成される。
【００２５】
ＭＰＥＧのフォーマットにおいては、スライスが１つの可変長符号系列である。可変長符号系列とは、可変長符号を復号化しなければデータの境界を検出できない系列である。
【００２６】
また、シーケンス層、ＧＯＰ層、ピクチャ層、スライス層およびマクロブロック層の先頭には、それぞれ、バイト単位に整列された所定のビットパターンを有する識別コード（スタートコードと称される）が配される。なお、上述した各層のヘッダ部は、ヘッダ、拡張データまたはユーザデータをまとめて記述したものである。シーケンス層のヘッダには、画像（ピクチャ）のサイズ（縦横の画素数）等が記述される。ＧＯＰ層のヘッダには、タイムコードおよびＧＯＰを構成するピクチャ数等が記述される。
【００２７】
スライス層に含まれるマクロブロックは、複数のＤＣＴブロックの集合であり、ＤＣＴブロックの符号化系列は、量子化されたＤＣＴ係数の系列を０係数の連続回数（ラン）とその直後の非０系列（レベル）を１つの単位として可変長符号化したものである。マクロブロックならびにマクロブロック内のＤＣＴブロックには、バイト単位に整列した識別コードが付加されない。
【００２８】
マクロブロックは、画面（ピクチャ）を１６画素×１６ラインの格子状に分割したものである。スライスは、例えばこのマクロブロックを水平方向に連結してなる。連続するスライスの前のスライスの最後のマクロブロックと、次のスライスの先頭のマクロブロックとは連続しており、スライス間でのマクロブロックのオーバーラップを形成することは、許されていない。また、画面のサイズが決まると、１画面当たりのマクロブロック数は、一意に決まる。
【００２９】
一方、復号および符号化による信号の劣化を避けるためには、符号化データ上で編集することが望ましい。このとき、ＰピクチャおよびＢピクチャは、その復号に、時間的に前のピクチャあるいは前後のピクチャを必要とする。そのため、編集単位を１フレーム単位とすることができない。この点を考慮して、この一実施形態では、１つのＧＯＰが１枚のＩピクチャからなるようにしている。
【００３０】
また、例えば１フレーム分の記録データが記録される記録領域が所定のものとされる。ＭＰＥＧ２では、可変長符号化を用いているので、１フレーム期間に発生するデータを所定の記録領域に記録できるように、１フレーム分の発生データ量が制御される。さらに、この一実施形態では、磁気テープへの記録に適するように、１スライスを１マクロブロックから構成すると共に、１マクロブロックを、所定長の固定枠に当てはめる。ＭＰＥＧでは、１スライスを１ストライプ（１６ライン）で構成するのが普通であり、画面の左端から可変長符号化が始まり、右端で終わる。従って、ＶＴＲによってそのままＭＰＥＧエレメンタリストリームを記録した場合、高速再生時に、再生できる部分が画面の左端に集中し、均一に更新することができない。また、データのテープ上の配置を予測できないため、テープパターンを一定の間隔でトレースしたのでは、均一な画面更新ができなくなる。さらに、１箇所でもエラーが発生すると、画面右端まで影響し、次のスライスヘッダが検出されるまで復帰できない。このために、１スライスを１マクロブロックで構成するようにしている。
【００３１】
図１は、この一実施形態による記録再生装置の記録側の構成の一例を示す。記録時には、所定のインターフェース例えばＳＤＩ(Serial Data Interface) の受信部を介してディジタルビデオ信号が端子１０１から入力される。ＳＤＩは、（４：２：２）コンポーネントビデオ信号とディジタルオーディオ信号と付加的データとを伝送するために、ＳＭＰＴＥによって規定されたインターフェイスである。入力ビデオ信号は、ビデオエンコーダ１０２においてＤＣＴ(Discrete Cosine Transform) の処理を受け、係数データに変換され、係数データが可変長符号化される。ビデオエンコーダ１０２からの可変長符号化（ＶＬＣ）データは、ＭＰＥＧ２に準拠したエレメンタリストリームである。この出力は、セレクタ１０３の一方の入力端に供給される。
【００３２】
一方、入力端子１０４を通じて、ＡＮＳＩ／ＳＭＰＴＥ  ３０５Ｍによって規定されたインターフェイスである、ＳＤＴＩ(Serial Data Transport Interface) のフォーマットのデータが入力される。この信号は、ＳＤＴＩ受信部１０５で同期検出される。そして、バッファに一旦溜め込まれ、エレメンタリストリームが抜き出される。抜き出されたエレメンタリストリームは、セレクタ１０３の他方の入力端に供給される。
【００３３】
セレクタ１０３で選択され出力されたエレメンタリストリームは、ストリームコンバータ１０６に供給される。ストリームコンバータ１０６では、ＭＰＥＧ２の規定に基づきＤＣＴブロック毎に並べられていたＤＣＴ係数を、１マクロブロックを構成する複数のＤＣＴブロックを通して、周波数成分毎にまとめ、まとめた周波数成分を並べ替える。また、ストリームコンバータ１０６は、エレメンタリストリームの１スライスが１ストライプの場合には、１スライスを１マクロブロックからなるものにする。さらに、ストリームコンバータ１０６は、１マクロブロックで発生する可変長データの最大長を所定長に制限する。これは、高次のＤＣＴ係数を０とすることでなしうる。並べ替えられた変換エレメンタリストリームは、パッキングおよびシャフリング部１０７に供給される。
【００３４】
エレメンタリストリームのビデオデータは、可変長符号化されているため、各マクロブロックのデータの長さが不揃いである。パッキングおよびシャフリング部１０７では、マクロブロックが固定枠に詰め込まれる。このとき、固定枠からはみ出たオーバーフロー部分は、固定枠のサイズに対して空いている領域に順に詰め込まれる。また、画像フォーマット、シャフリングパターンのバージョン等の情報を有するシステムデータが入力端子１０８からパッキングおよびシャフリング部１０７に供給され、ピクチャデータと同様にシステムデータが記録処理を受ける。システムデータは、ビデオＡＵＸとして記録される。また、走査順に発生する１フレームのマクロブロックを並び替え、テープ上のマクロブロックの記録位置を分散させるシャフリングが行われる。シャフリングによって、変速再生時に断片的にデータが再生される時でも、画像の更新率を向上させることができる。
【００３５】
パッキングおよびシャフリング部１０７からのビデオデータおよびシステムデータ（以下、特に必要な場合を除き、システムデータを含む場合も単にビデオデータと言う。）が外符号エンコーダ１０９に供給される。ビデオデータおよびオーディオデータに対するエラー訂正符号としては、積符号が使用される。積符号は、ビデオデータまたはオーディオデータの２次元配列の縦方向に外符号の符号化を行い、その横方向に内符号の符号化を行い、データシンボルを２重に符号化するものである。外符号および内符号としては、リードソロモンコード(Reed-Solomon code) を使用できる。
【００３６】
外符号エンコーダ１０９の出力がシャフリング部１１０に供給され、複数のＥＣＣブロックにわたってシンクブロック単位で順番を入れ替える、シャフリングがなされる。シンクブロック単位のシャフリングによって特定のＥＣＣブロックにエラーが集中することが防止される。シャフリング部１１０でなされるシャフリングをインターリーブと称することもある。シャフリング部１１０の出力が混合部１１１に供給され、オーディオデータと混合される。なお、混合部１１１は、後述のように、メインメモリにより構成される。
【００３７】
１１２で示す入力端子からオーディオデータが供給される。この一実施形態では、非圧縮のディジタルオーディオ信号が扱われる。ディジタルオーディオ信号は、入力側のＳＤＩ受信部（図示しない）またはＳＤＴＩ受信部１０５で分離されたもの、またはオーディオインターフェースを介して入力されたものである。入力ディジタルオーディオ信号が遅延部１１３を介してＡＵＸ付加部１１４に供給される。遅延部１１３は、オーディオ信号とビデオ信号と時間合わせ用のものである。入力端子１１５から供給されるオーディオＡＵＸは、補助的データであり、オーディオデータのサンプリング周波数等のオーディオデータに関連する情報を有するデータである。オーディオＡＵＸは、ＡＵＸ付加部１１４にてオーディオデータに付加され、オーディオデータと同等に扱われる。
【００３８】
ＡＵＸ付加部１１４からのオーディオデータおよびＡＵＸ（以下、特に必要な場合を除き、ＡＵＸを含む場合も単にオーディオデータと言う。）が外符号エンコーダ１１６に供給される。外符号エンコーダ１１６は、オーディオデータに対して外符号の符号化を行う。外符号エンコーダ１１６の出力がシャフリング部１１７に供給され、シャフリング処理を受ける。オーディオシャフリングとして、シンクブロック単位のシャフリングと、チャンネル単位のシャフリングとがなされる。
【００３９】
シャフリング部１１７の出力が混合部１１１に供給され、ビデオデータとオーディオデータが１チャンネルのデータとされる。混合部１１１の出力がＩＤ付加部１１８が供給され、ＩＤ付加部１１８にて、シンクブロック番号を示す情報等を有するＩＤが付加される。ＩＤ付加部１１８の出力が内符号エンコーダ１１９に供給され、内符号の符号化がなされる。さらに、内符号エンコーダ１１９の出力が同期付加部１２０に供給され、シンクブロック毎の同期信号が付加される。同期信号が付加されることによってシンクブロックが連続する記録データが構成される。この記録データが記録アンプ１２１を介して回転ヘッド１２２に供給され、磁気テープ１２３上に記録される。回転ヘッド１２２は、実際には、隣接するトラックを形成するヘッドのアジマスが互いに異なる複数の磁気ヘッドが回転ドラムに取り付けられたものである。
【００４０】
記録データに対して必要に応じてスクランブル処理を行っても良い。また、記録時にディジタル変調を行っても良く、さらに、パーシャル・レスポンスクラス４とビタビ符号を使用しても良い。
【００４１】
図２は、この発明の一実施形態の再生側の構成の一例を示す。磁気テープ１２３から回転ヘッド１２２で再生された再生信号が再生アンプ１３１を介して同期検出部１３２に供給される。再生信号に対して、等化や波形整形などがなされる。また、ディジタル変調の復調、ビタビ復号等が必要に応じてなされる。同期検出部１３２は、シンクブロックの先頭に付加されている同期信号を検出する。同期検出によって、シンクブロックが切り出される。
【００４２】
同期検出ブロック１３２の出力が内符号エンコーダ１３３に供給され、内符号のエラー訂正がなされる。内符号エンコーダ１３３の出力がＩＤ補間部１３４に供給され、内符号によりエラーとされたシンクブロックのＩＤ例えばシンクブロック番号が補間される。ＩＤ補間部１３４の出力が分離部１３５に供給され、ビデオデータとオーディオデータとが分離される。上述したように、ビデオデータは、ＭＰＥＧのイントラ符号化で発生したＤＣＴ係数データおよびシステムデータを意味し、オーディオデータは、ＰＣＭ(Pulse Code Modulation) データおよびＡＵＸを意味する。
【００４３】
分離部１３５からのビデオデータがデシャフリング部１３６において、シャフリングと逆の処理がなされる。デシャフリング部１３６は、記録側のシャフリング部１１０でなされたシンクブロック単位のシャフリングを元に戻す処理を行う。デシャフリング部１３６の出力が外符号デコーダ１３７に供給され、外符号によるエラー訂正がなされる。訂正できないエラーが発生した場合には、エラーの有無を示すエラーフラグがエラー有りを示すものとされる。
【００４４】
外符号デコーダ１３７の出力がデシャフリングおよびデパッキング部１３８に供給される。デシャフリングおよびデパッキング部１３８は、記録側のパッキングおよびシャフリング部１０７でなされたマクロブロック単位のシャフリングを元に戻す処理を行う。また、デシャフリングおよびデパッキング部１３８では、記録時に施されたパッキングを分解する。すなわち、マクロブロック単位にデータの長さを戻して、元の可変長符号（不等長データ）を復元する。さらに、デシャフリングおよびデパッキング部１３８において、システムデータが分離され、出力端子１３９に取り出される。
【００４５】
デシャフリングおよびデパッキング部１３８の出力が補間部１４０に供給され、エラーフラグが立っている（すなわち、エラーのある）データが修整される。すなわち、変換前に、マクロブロックデータの途中にエラーがあるとされた場合には、エラー箇所以降の周波数成分のＤＣＴ係数が復元できない。そこで、例えばエラー箇所のデータをブロック終端符号（ＥＯＢ）に置き替え、それ以降の周波数成分のＤＣＴ係数をゼロとする。同様に、高速再生時にも、シンクブロック長に対応する長さまでのＤＣＴ係数のみを復元し、それ以降の係数は、ゼロデータに置き替えられる。さらに、補間部１４０では、ビデオデータの先頭に付加されているヘッダがエラーの場合に、ヘッダ（シーケンスヘッダ、ＧＯＰヘッダ、ピクチャヘッダ、ユーザデータ等）を回復する処理もなされる。
【００４６】
ＤＣＴブロックに跨がって、ＤＣＴ係数がＤＣ成分および低域成分から高域成分へと並べられているため、このように、ある箇所以降からＤＣＴ係数を無視しても、マクロブロックを構成するＤＣＴブロックのそれぞれに対して、満遍なくＤＣならびに低域成分からのＤＣＴ係数を行き渡らせることができる。
【００４７】
補間部１４０の出力がストリームコンバータ１４１に供給される。ストリームコンバータ１４１では、記録側のストリームコンバータ１０６と逆の処理がなされる。すなわち、ＤＣＴブロックに跨がって周波数成分毎に並べられていたＤＣＴ係数を、ＤＣＴブロック毎に並び替える。これにより、再生信号がＭＰＥＧ２に準拠したエレメンタリストリームに変換される。
【００４８】
また、ストリームコンバータ１４１の入出力は、記録側と同様に、マクロブロックの最大長に応じて、十分な転送レート（バンド幅）を確保しておく。マクロブロック（スライス）の長さを制限しない場合には、画素レートの３倍のバンド幅を確保するのが好ましい。
【００４９】
ストリームコンバータ１４１の出力がビデオデコーダ１４２に供給される。ビデオデコーダ１４２は、エレメンタリストリームを復号し、ビデオデータを出力する。すなわち、ビデオデコーダ１４２は、逆量子化処理と、逆ＤＣＴ処理とがなされる。復号ビデオデータが出力端子１４３に取り出される。外部とのインターフェースには、例えばＳＤＩが使用される。また、ストリームコンバータ１４１からのエレメンタリストリームがＳＤＴＩ送信部１４４に供給される。ＳＤＴＩ送信部１４４には、経路の図示を省略しているが、システムデータ、再生オーディオデータ、ＡＵＸも供給され、ＳＤＴＩフォーマットのデータ構造を有するストリームへ変換される。ＳＤＴＩ送信部１４４からのストリームが出力端子１４５を通じて外部に出力される。
【００５０】
分離部１３５で分離されたオーディオデータがデシャフリング部１５１に供給される。デシャフリング部１５１は、記録側のシャフリング部１１７でなされたシャフリングと逆の処理を行う。デシャフリング部１１７の出力が外符号デコーダ１５２に供給され、外符号によるエラー訂正がなされる。外符号デコーダ１５２からは、エラー訂正されたオーディオデータが出力される。訂正できないエラーがあるデータに関しては、エラーフラグがセットされる。
【００５１】
外符号デコーダ１５２の出力がＡＵＸ分離部１５３に供給され、オーディオＡＵＸが分離される。分離されたオーディオＡＵＸが出力端子１５４に取り出される。また、オーディオデータが補間部１５５に供給される。補間部１５５では、エラーの有るサンプルが補間される。補間方法としては、時間的に前後の正しいデータの平均値で補間する平均値補間、前の正しいサンプルの値をホールドする前値ホールド等を使用できる。補間部１５５の出力が出力部１５６に供給される。出力部１５６は、エラーであり、補間できないオーディオ信号の出力を禁止するミュート処理、並びにビデオ信号との時間合わせのための遅延量調整処理がなされる。出力部１５６から出力端子１５７に再生オーディオ信号が取り出される。
【００５２】
なお、図１および図２では省略されているが、入力データと同期したタイミング信号を発生するタイミング発生部、記録再生装置の全体の動作を制御するシステムコントローラ（マイクロコンピュータ）等が備えられている。
【００５３】
この一実施形態では、磁気テープへの信号の記録は、回転する回転ヘッド上に設けられた磁気ヘッドにより、斜めのトラックを形成する、ヘリカルスキャン方式によって行われる。磁気ヘッドは、回転ドラム上の、互いに対向する位置に、それぞれ複数個が設けられる。すなわち、磁気テープが回転ヘッドに１８０°程度の巻き付け角で以て巻き付けられている場合、回転ヘッドの１８０°の回転により、同時に複数本のトラックを形成することができる。また、磁気ヘッドは、互いにアジマスの異なる２個で一組とされる。複数個の磁気ヘッドは、隣接するトラックのアジマスが互いに異なるように配置される。
【００５４】
図３は、上述した回転ヘッドにより磁気テープ上に形成されるトラックフォーマットの一例を示す。これは、１フレーム当たりのビデオおよびオーディオデータが８トラックで記録される例である。例えばフレーム周波数が２９．９７Ｈｚ、レートが５０Ｍｂｐｓ、有効ライン数が４８０本で有効水平画素数が７２０画素のインターレス信号（４８０ｉ信号）およびオーディオ信号が記録される。また、フレーム周波数が２５Ｈｚ、レートが５０Ｍｂｐｓ、有効ライン数が５７６本で有効水平画素数が７２０画素のインターレス信号（５７６ｉ信号）およびオーディオ信号も、図３と同一のテープフォーマットによって記録できる。
【００５５】
互いに異なるアジマスの２トラックによって１セグメントが構成される。すなわち、８トラックは、４セグメントからなる。セグメントを構成する１組のトラックに対して、アジマスと対応するトラック番号〔０〕とトラック番号〔１〕が付される。図３に示される例では、前半の８トラックと、後半の８トラックとの間で、トラック番号が入れ替えられると共に、フレーム毎に互いに異なるトラックシーケンスが付される。これにより、アジマスが異なる１組の磁気ヘッドのうち一方が、例えば目詰まりなどにより読み取り不能状態に陥っても、前フレームのデータを利用してエラーの影響を小とできる。
【００５６】
トラックのそれぞれにおいて、両端側にビデオデータが記録されるビデオセクタが配され、ビデオセクタに挟まれて、オーディオデータが記録されるオーディオセクタが配される。なお、この図３および後述する図４は、テープ上のオーディオセクタの配置を示すものである。
【００５７】
図３のトラックフォーマットでは、８チャンネルのオーディオデータを扱うことができるようにされている。Ａ１〜Ａ８は、それぞれオーディオデータの１〜８ｃｈのセクタを示す。オーディオデータは、セグメント単位で配列を変えられて記録される。オーディオデータは、１フィールド期間で発生するオーディオサンプル（例えばフィールド周波数が２９．９７Hzで、サンプリング周波数が４８ｋHzの場合には、８００サンプルまたは８０１サンプル）が偶数番目のサンプルと奇数番目のサンプルとにわけられ、各サンプル群とＡＵＸによって積符号の１ＥＣＣブロックが構成される。
【００５８】
図３では、１フィールド分のオーディオデータが４トラックに記録されるので、オーディオデータの１チャンネル当たりの２個のＥＣＣブロックが４トラックに記録される。２個のＥＣＣブロックのデータ（外符号パリティを含む）が４個のセクタに分割され、図３に示すように、４トラックに分散されて記録される。２個のＥＣＣブロックに含まれる複数のシンクブロックがシャフリングされる。例えばＡ１の参照番号が付された４セクタによって、チャンネル１の２ＥＣＣブロックが構成される。
【００５９】
また、ビデオデータは、この例では、１トラックに対して４ＥＣＣブロック分のデータがシャフリング（インターリーブ）され、Ｕｐｐｅｒ  ＳｉｄｅおよびＬｏｗｅｒ  Ｓｉｄｅで各セクタに分割され記録される。Ｌｏｗｅｒ  Ｓｉｄｅのビデオセクタには、所定位置にシステム領域が設けられる。
【００６０】
なお、図３において、ＳＡＴ１（Ｔｒ）およびＳＡＴ２（Ｔｍ）は、サーボロック用の信号が記録されるエリアである。また、各記録エリアの間には、所定の大きさのギャップ（Ｖｇ１，Ｓｇ１，Ａｇ，Ｓｇ２，Ｓｇ３およびＶｇ２）が設けられる。
【００６１】
図３は、１フレーム当たりのデータを８トラックで記録する例であるが、記録再生するデータのフォーマットによっては、１フレーム当たりのデータを４トラック、６トラックなどでの記録することができる。図４Ａは、１フレームが６トラックのフォーマットである。この例では、トラックシーケンスが〔０〕のみとされる。
【００６２】
図４Ｂに示すように、テープ上に記録されるデータは、シンクブロックと称される等間隔に区切られた複数のブロックからなる。図４Ｃは、シンクブロックの構成を概略的に示す。詳細は後述するが、シンクブロックは、同期検出するためのＳＹＮＣパターン、シンクブロックのそれぞれを識別するためのＩＤ、後続するデータの内容を示すＤＩＤ、データパケットおよびエラー訂正用の内符号パリティから構成される。データは、シンクブロック単位でパケットとして扱われる。すなわち、記録あるいは再生されるデータ単位の最小のものが１シンクブロックである。シンクブロックが多数並べられて（図４Ｂ）、例えばビデオセクタが形成される（図４Ａ）。
【００６３】
図５は、記録／再生の最小単位である、ビデオデータのシンクブロックのデータ構成をより具体的に示す。この一実施形態においては、記録するビデオデータのフォーマットに適応して１シンクブロックに対して１個乃至は２個のマクロブロックのデータ（ＶＬＣデータ）が格納されると共に、１シンクブロックのサイズが扱うビデオ信号のフォーマットに応じて長さが変更される。図５Ａに示されるように、１シンクブロックは、先頭から、２バイトのＳＹＮＣパターン、２バイトのＩＤ、１バイトのＤＩＤ、例えば１１２バイト〜２０６バイトの間で可変に規定されるデータ領域および１２バイトのパリティ（内符号パリティ）からなる。なお、データ領域は、ペイロードとも称される。
【００６４】
先頭の２バイトのＳＹＮＣパターンは、同期検出用であり、所定のビットパターンを有する。固有のパターンに対して一致するＳＹＮＣパターンを検出することで、同期検出が行われる。
【００６５】
図６Ａは、ＩＤ０およびＩＤ１のビットアサインの一例を示す。ＩＤは、シンクブロックが固有に持っている重要な情報を持っており、各２バイト（ＩＤ０およびＩＤ１）が割り当てられている。ＩＤ０は、１トラック中のシンクブロックのそれぞれを識別するための識別情報（ＳＹＮＣ  ＩＤ）が格納される。ＳＹＮＣ  ＩＤは、例えば各セクタ内のシンクブロックに対して付された通し番号である。ＳＹＮＣ  ＩＤは、８ビットで表現される。ビデオのシンクブロックとオーディオのシンクブロックとでそれぞれ別個にＳＹＮＣ  ＩＤが付される。
【００６６】
ＩＤ１は、シンクブロックのトラックに関する情報が格納される。ＭＳＢ側をビット７、ＬＳＢ側をビット０とした場合、このシンクブロックに関して、ビット７でトラックの上側（Ｕｐｐｅｒ）か下側（Ｌｏｗｅｒ）かが示され、ビット５〜ビット２で、トラックのセグメントが示される。また、ビット１は、トラックのアジマスに対応するトラック番号が示され、ビット０は、このシンクブロックがビデオデータおよびオーディオデータを区別するビットである。
【００６７】
図６Ｂは、ビデオの場合のＤＩＤのビットアサインの一例を示す。ＤＩＤは、ペイロードに関する情報が格納される。上述したＩＤ１のビット０の値に基づき、ビデオおよびオーディオで、ＤＩＤの内容が異なる。ビット７〜ビット４は、未定義（Ｒｅｓｅｒｖｅｄ）とされている。ビット３および２は、ペイロードのモードであり、例えばペイロードのタイプが示される。ビット３および２は、補助的なものである。ビット１でペイロードに１個あるいは２個のマクロブロックが格納されることが示される。ビット０でペイロードに格納されるビデオデータが外符号パリティであるかどうかが示される。
【００６８】
図６Ｃは、オーディオの場合のＤＩＤのビットアサインの一例を示す。ビット７〜ビット４は、Ｒｅｓｅｒｖｅｄとされている。ビット３でペイロードに格納されているデータがオーディオデータであるか、一般的なデータであるかどうかが示される。ペイロードに対して、圧縮符号化されたオーディオデータが格納されている場合には、ビット３がデータを示す値とされる。ビット２〜ビット０は、ＮＴＳＣ方式における、５フィールドシーケンスの情報が格納される。すなわち、ＮＴＳＣ方式においては、ビデオ信号の１フィールドに対してオーディオ信号は、サンプリング周波数が４８ｋＨｚの場合、８００サンプルおよび８０１サンプルの何れかであり、このシーケンスが５フィールド毎に揃う。ビット２〜ビット０によって、シーケンスの何処に位置するかが示される。
【００６９】
図５に戻って説明すると、図５Ｂ〜図５Ｅは、上述のペイロードの例を示す。図５Ｂおよび図５Ｃは、ペイロードに対して、１および２マクロブロックのビデオデータ（不等長データ）が格納される場合の例をそれぞれ示す。図５Ｂに示される、１マクロブロックが格納される例では、先頭の３バイトに、そのマクロブロックに対応する不等長データの長さを示すデータ長標識ＬＴが配される。なお、データ長標識ＬＴには、自分自身の長さを含んでも良いし、含まなくても良い。また、図５Ｃに示される、２マクロブロックが格納される例では、先頭に第１のマクロブロックのデータ長標識ＬＴが配され、続けて第１のマクロブロックが配される。そして、第１のマクロブロックに続けて第２のマクロブロックの長さを示すデータ長標識ＬＴが配され、続けて第２のマクロブロックが配される。データ長標識ＬＴは、デパッキングのために必要な情報である。
【００７０】
図５Ｄは、ペイロードに対して、ビデオＡＵＸ（補助的）データが格納される場合の例を示す。先頭のデータ長標識ＬＴには、ビデオＡＵＸデータの長さが記される。このデータ長標識ＬＴに続けて、５バイトのシステム情報、１２バイトのＰＩＣＴ情報、および９２バイトのユーザ情報が格納される。ペイロードの長さに対して余った部分は、Ｒｅｓｅｒｖｅｄとされる。
【００７１】
図５Ｅは、ペイロードに対してオーディオデータが格納される場合の例を示す。オーディオデータは、ペイロードの全長にわたって詰め込むことができる。オーディオ信号は、圧縮処理などが施されない、例えばＰＣＭ形式で扱われる。これに限らず、所定の方式で圧縮符号化されたオーディオデータを扱うようにもできる。
【００７２】
この一実施形態においては、各シンクブロックのデータの格納領域であるペイロードの長さは、ビデオシンクブロックとオーディオシンクブロックとでそれぞれ最適に設定されているため、互いに等しい長さではない。また、ビデオデータを記録するシンクブロックの長さと、オーディオデータを記録するシンクブロックの長さとを、信号フォーマットに応じてそれぞれ最適な長さに設定される。これにより、複数の異なる信号フォーマットを統一的に扱うことができる。
【００７３】
図７Ａは、ＭＰＥＧエンコーダのＤＣＴ回路から出力されるビデオデータ中のＤＣＴ係数の順序を示す。ＤＣＴブロックにおいて左上のＤＣ成分から開始して、水平ならびに垂直空間周波数が高くなる方向に、ＤＣＴ係数がジグザグスキャンで出力される。その結果、図７Ｂに一例が示されるように、全部で６４個（８画素×８ライン）のＤＣＴ係数が周波数成分順に並べられて得られる。
【００７４】
このＤＣＴ係数がＭＰＥＧエンコーダのＶＬＣ部によって可変長符号化される。すなわち、最初の係数は、ＤＣ成分として固定的であり、次の成分（ＡＣ成分）からは、ゼロのランとそれに続くレベルに対応してコードが割り当てられる。従って、ＡＣ成分の係数データに対する可変長符号化出力は、周波数成分の低い（低次の）係数から高い（高次の）係数へと、ＡＣ1 ，ＡＣ2 ，ＡＣ3 ，・・・と並べられたものである。可変長符号化されたＤＣＴ係数をエレメンタリストリームが含んでいる。
【００７５】
ストリームコンバータ１０６では、供給された信号のＤＣＴ係数の並べ替えが行われる。すなわち、それぞれのマクロブロック内で、ジグザグスキャンによってＤＣＴブロック毎に周波数成分順に並べられたＤＣＴ係数がマクロブロックを構成する各ＤＣＴブロックにわたって周波数成分順に並べ替えられる。
【００７６】
図８は、このストリームコンバータ１０６におけるＤＣＴ係数の並べ替えを概略的に示す。（４：２：２）コンポーネント信号の場合に、１マクロブロックは、輝度信号Ｙによる４個のＤＣＴブロック（Ｙ1 ，Ｙ2 ，Ｙ3 およびＹ4 ）と、色度信号Ｃｂ，Ｃｒのそれぞれによる２個ずつのＤＣＴブロック（Ｃｂ1 ，Ｃｂ2 ，Ｃｒ1 およびＣｒ2 ）からなる。
【００７７】
上述したように、ビデオエンコーダ１０２では、ＭＰＥＧ２の規定に従いジグザグスキャンが行われ、図８Ａに示されるように、各ＤＣＴブロック毎に、ＤＣＴ係数がＤＣ成分および低域成分から高域成分に、周波数成分の順に並べられる。一つのＤＣＴブロックのスキャンが終了したら、次のＤＣＴブロックのスキャンが行われ、同様に、ＤＣＴ係数が並べられる。
【００７８】
すなわち、マクロブロック内で、ＤＣＴブロックＹ1 ，Ｙ2 ，Ｙ3 およびＹ4 、ＤＣＴブロックＣｂ1 ，Ｃｂ2 ，Ｃｒ1 およびＣｒ2 のそれぞれについて、ＤＣＴ係数がＤＣ成分および低域成分から高域成分へと周波数順に並べられる。そして、連続したランとそれに続くレベルとからなる組に、〔ＤＣ，ＡＣ1 ，ＡＣ2 ，ＡＣ3 ，・・・〕と、それぞれ符号が割り当てられるように、可変長符号化されている。
【００７９】
ストリームコンバータ１０６では、可変長符号化され並べられたＤＣＴ係数を、一旦可変長符号を解読して各係数の区切りを検出し、マクロブロックを構成する各ＤＣＴブロックに跨がって周波数成分毎にまとめる。この様子を、図８Ｂに示す。最初にマクロブロック内の８個のＤＣＴブロックのＤＣ成分をまとめ、次に８個のＤＣＴブロックの最も周波数成分が低いＡＣ係数成分をまとめ、以下、順に同一次数のＡＣ係数をまとめるように、８個のＤＣＴブロックに跨がって係数データを並び替える。
【００８０】
並び替えられた係数データは、ＤＣ（Ｙ1 ），ＤＣ（Ｙ2 ），ＤＣ（Ｙ3 ），ＤＣ（Ｙ4 ），ＤＣ（Ｃｂ1 ），ＤＣ（Ｃｂ2 ），ＤＣ（Ｃｒ1 ），ＤＣ（Ｃｒ2 ），ＡＣ1 （Ｙ1 ），ＡＣ1 （Ｙ2 ），ＡＣ1 （Ｙ3 ），ＡＣ1 （Ｙ4 ），ＡＣ1 （Ｃｂ1 ），ＡＣ1 （Ｃｂ2 ），ＡＣ1 （Ｃｒ1 ），ＡＣ1 （Ｃｒ2 ），・・・である。ここで、ＤＣ、ＡＣ1 、ＡＣ2 、・・・は、図７を参照して説明したように、ランとそれに続くレベルとからなる組に対して割り当てられた可変長符号の各符号である。
【００８１】
ストリームコンバータ１０６で係数データの順序が並べ替えられた変換エレメンタリストリームは、パッキングおよびシャフリング部１０７に供給される。マクロブロックのデータの長さは、変換エレメンタリストリームと変換前のエレメンタリストリームとで同一である。また、ビデオエンコーダ１０２において、ビットレート制御によりＧＯＰ（１フレーム）単位に固定長化されていても、マクロブロック単位では、長さが変動している。パッキングおよびシャフリング部１０７では、マクロブロックのデータを固定枠に当てはめる。
【００８２】
図９は、パッキングおよびシャフリング部１０７でのマクロブロックのパッキング処理を概略的に示す。マクロブロックは、所定のデータ長を持つ固定枠に当てはめられ、パッキングされる。このとき用いられる固定枠のデータ長を、記録および再生の際のデータの最小単位であるシンクブロックのデータ長と一致させている。これは、シャフリングおよびエラー訂正符号化の処理を簡単に行うためである。図９では、簡単のため、１フレームに８マクロブロックが含まれるものと仮定する。
【００８３】
可変長符号化によって、図９Ａに一例が示されるように、８マクロブロックの長さは、互いに異なる。この例では、固定枠である１シンクブロックのデータ領域の長さと比較して、マクロブロック＃１のデータ，＃３のデータおよび＃６のデータがそれぞれ長く、マクロブロック＃２のデータ，＃５のデータ，＃７のデータおよび＃８のデータがそれぞれ短い。また、マクロブロック＃４のデータは、１シンクブロックと略等しい長さである。
【００８４】
パッキング処理によって、マクロブロックが１シンクブロック長の固定長枠に詰め込まれる。過不足無くデータを詰め込むことができるのは、１フレーム期間で発生するデータ量が固定量に制御されているからである。図９Ｂに一例が示されるように、１シンクブロックと比較して長いマクロブロックは、シンクブロック長に対応する位置で分割される。分割されたマクロブロックのうち、シンクブロック長からはみ出た部分（オーバーフロー部分）は、先頭から順に空いている領域に、すなわち、長さがシンクブロック長に満たないマクロブロックの後ろに、詰め込まれる。
【００８５】
図９Ｂの例では、マクロブロック＃１の、シンクブロック長からはみ出た部分が、先ず、マクロブロック＃２の後ろに詰め込まれ、そこがシンクブロックの長さに達すると、マクロブロック＃５の後ろに詰め込まれる。次に、マクロブロック＃３の、シンクブロック長からはみ出た部分がマクロブロック＃７の後ろに詰め込まれる。さらに、マクロブロック＃６のシンクブロック長からはみ出た部分がマクロブロック＃７の後ろに詰め込まれ、さらにはみ出た部分がマクロブロック＃８の後ろに詰め込まれる。こうして、各マクロブロックがシンクブロック長の固定枠に対してパッキングされる。
【００８６】
各マクロブロックに対応する不等長データの長さは、ストリームコンバータ１０６において予め調べておくことができる。これにより、このパッキング部１０７では、ＶＬＣデータをデコードして内容を検査すること無く、マクロブロックのデータの最後尾を知ることができる。
【００８７】
図１０は、一実施形態で使用されるエラー訂正符号の一例を示し、図１０Ａは、ビデオデータに対するエラー訂正符号の１ＥＣＣブロックを示し、図１０Ｂは、オーディオデータに対するエラー訂正符号の１ＥＣＣブロックを示す。図１０Ａにおいて、ＶＬＣデータがパッキングおよびシャフリング部１０７からのデータである。ＶＬＣデータの各行に対して、ＳＹＮＣパターン、ＩＤ、ＤＩＤが付加され、さらに、内符号のパリティが付加されることによって、１ＳＹＮＣブロックが形成される。
【００８８】
すなわち、ＶＬＣデータの配列の垂直方向に整列する所定数のシンボル（バイト）から１０バイトの外符号のパリティが生成され、その水平方向に整列する、ＩＤ、ＤＩＤおよびＶＬＣデータ（または外符号のパリティ）の所定数のシンボル（バイト）から内符号のパリティが生成される。図１０Ａの例では、１０個の外符号パリティのシンボルと、１２個の内符号のパリティのシンボルとが付加される。具体的なエラー訂正符号としては、リードソロモン符号が使用される。また、図１０Ａにおいて、１ＳＹＮＣブロック内のＶＬＣデータの長さが異なるのは、５９．９４Hz、２５Hz、２３．９７６Hzのように、ビデオデータのフレーム周波数が異なるのと対応するためである。
【００８９】
図１０Ｂに示すように、オーディオデータに対する積符号もビデオデータに対するものと同様に、１０シンボルの外符号のパリティおよび１２シンボルの内符号のパリティを生成するものである。オーディオデータの場合は、サンプリング周波数が例えば４８ｋHzとされ、１サンプルが２４ビットに量子化される。１サンプルを他のビット数例えば１６ビットに変換しても良い。上述したフレーム周波数の相違に応じて、１ＳＹＮＣブロック内のオーディオデータの量が相違している。前述したように、１フィールド分のオーディオデータ／１チャンネルによって２ＥＣＣブロックが構成される。１ＥＣＣブロックには、偶数番目および奇数番目の一方のオーディオサンプルとオーディオＡＵＸとがデータとして含まれる。
【００９０】
図１１は、この発明の一実施形態の記録側構成のより具体的な構成を示す。図１１において、１６４がＩＣに対して外付けのメインメモリ１６０のインターフェースである。メインメモリ１６０は、ＳＤＲＡＭで構成されている。インターフェース１６４によって、内部からのメインメモリ１６０に対する要求を調停し、メインメモリ１６０に対して書込み／読出しの処理を行う。また、パッキング部１０７ａ、ビデオシャフリング部１０７ｂ、パッキング部１０７ｃによって、パッキングおよびシャフリング部１０７が構成される。
【００９１】
図１２は、メインメモリ１６０のアドレス構成の一例を示す。メインメモリ１６０は、例えば６４ＭビットのＳＤＲＡＭで構成される。メインメモリ１６０は、ビデオ領域２５０、オーバーフロー領域２５１およびオーディオ領域２５２を有する。ビデオ領域２５０は、４つのバンク（ｖｂａｎｋ＃０、ｖｂａｎｋ＃１、ｖｂａｎｋ＃２およびｖｂａｎｋ＃３）からなる。４バンクのそれぞれは、１等長化単位のディジタルビデオ信号が格納できる。１等長化単位は、発生するデータ量を略目標値に制御する単位であり、例えばビデオ信号の１ピクチャ（Ｉピクチャ）である。図１２中の、部分Ａは、ビデオ信号の１シンクブロックのデータ部分を示す。１シンクブロックには、フォーマットによって異なるバイト数のデータが挿入される（図５Ａ参照）。複数のフォーマットに対応するために、最大のバイト数以上であって、処理に都合の良いバイト数例えば２５６バイトが１シンクブロックのデータサイズとされている。
【００９２】
ビデオ領域の各バンクは、さらに、パッキング用領域２５０Ａと内符号化エンコーダへの出力用領域２５０Ｂとに分けられる。オーバーフロー領域２５１は、上述のビデオ領域に対応して、４つのバンクからなる。さらに、オーディオデータ処理用の領域２５２をメインメモリ１６０が有する。
【００９３】
この一実施形態では、各マクロブロックのデータ長標識ＬＴを参照することによって、パッキング部１０７ａが固定枠長データと、固定枠を越える部分であるオーバーフローデータとをメインメモリ１６０の別々の領域に分けて記憶する。固定枠長データは、シンクブロックのデータ領域の長さ以下のデータであり、以下、ブロック長データと称する。ブロック長データを記憶する領域は、各バンクのパッキング処理用領域２５０Ａである。ブロック長より短いデータ長の場合には、メインメモリ１６０の対応する領域に空き領域を生じる。ビデオシャフリング部１０７ｂが書込みアドレスを制御することによってシャフリングを行う。ここで、ビデオシャフリング部１０７ｂは、ブロック長データのみをシャフリングし、オーバーフロー部分は、シャフリングせずに、オーバーフローデータに割り当てられた領域に書込まれる。
【００９４】
次に、パッキング部１０７ｃが外符号エンコーダ１０９へのメモリにオーバーフロー部分をパッキングして読み込む処理を行う。すなわち、メインメモリ１６０から外符号エンコーダ１０９に用意されている１ＥＣＣブロック分のメモリに対してブロック長のデータを読み込み、若し、ブロック長のデータに空き領域が有れば、そこにオーバーフロー部分を読み込んでブロック長にデータが詰まるようにする。そして、１ＥＣＣブロック分のデータを読み込むと、読み込み処理を一時中断し、外符号エンコーダ１０９によって外符号のパリティを生成する。外符号パリティは、外符号エンコーダ１０９のメモリに格納する。外符号エンコーダ１０９の処理が１ＥＣＣブロック分終了すると、外符号エンコーダ１０９からデータおよび外符号パリティを内符号を行う順序に並び替えて、メインメモリ１６０のパッキング処理用領域２５０Ａと別の出力用領域２５０Ｂに書き戻す。ビデオシャフリング部１１０は、この外符号の符号化が終了したデータをメインメモリ１６０へ書き戻す時のアドレスを制御することによって、シンクブロック単位のシャフリングを行う。
【００９５】
このようにブロック長データとオーバーフローデータとを分けてメインメモリ１６０の第１の領域２５０Ａへのデータの書込み（第１のパッキング処理）、外符号エンコーダ１０９へのメモリにオーバーフローデータをパッキングして読み込む処理（第２のパッキング処理）、外符号パリティの生成、データおよび外符号パリティをメインメモリ１６０の第２の領域２５０Ｂに書き戻す処理が１ＥＣＣブロック単位でなされる。外符号エンコーダ１０９がＥＣＣブロックのサイズのメモリを備えることによって、メインメモリ１６０へのアクセスの頻度を少なくすることができる。
【００９６】
そして、１ピクチャに含まれる所定数のＥＣＣブロック（例えば３２個のＥＣＣブロック）の処理が終了すると、１ピクチャのパッキング、外符号の符号化が終了する。そして、インターフェース１６４を介してメインメモリ１６０の領域２５０Ｂから読出したデータがＩＤ付加部１１８、内符号エンコーダ１１９、同期付加部１２０で処理され、並列直列変換部１２４によって、同期付加部１２０の出力データがビットシリアルデータに変換される。出力されるシリアルデータがパーシャル・レスポンスクラス４のプリコーダ１２５により処理される。この出力が必要に応じてディジタル変調され、記録アンプ１２１を介して回転ヘッドに供給される。
【００９７】
なお、ＥＣＣブロック内にヌルシンクと称する有効なデータが配されないシンクブロックを導入し、記録ビデオ信号のフォーマットの違いに対してＥＣＣブロックの構成の柔軟性を持たせるようにしても良い。ヌルシンクは、パッキングおよびシャフリングブロック１０７のパッキング部１０７ａにおいて生成され、メインメモリ１６０に書込まれる。従って、ヌルシンクがデータ記録領域を持つことになるので、これをオーバーフロー部分の記録用シンクとして使用することができる。
【００９８】
オーディオデータの場合では、１フィールドのオーディオデータの偶数番目のサンプルと奇数番目のサンプルとがそれぞれ別のＥＣＣブロックを構成する。ＥＣＣの外符号の系列は、入力順序のオーディオサンプルで構成されるので、外符号系列のオーディオサンプルが入力される毎に外符号エンコーダ１１６が外符号パリティを生成する。外符号エンコーダ１１６の出力をメインメモリ１６０の領域２５２に書込む時のアドレス制御によって、シャフリング部１１７がシャフリング（チャンネル単位およびシンクブロック単位）を行う。
【００９９】
さらに、１２６で示すＣＰＵインターフェースが設けられ、システムコントローラとして機能する外部のＣＰＵ１２７からのデータを受け取り、内部ブロックに対してパラメータの設定が可能とされている。複数のフォーマットに対応するために、シンクブロック長、パリティ長を始め多くのパラメータを設定することが可能とされている。パラメータの一つとしてのシャフリングテーブルデータがビデオ用シャフリングテーブル（ＲＡＭ）１２８ｖおよびオーディオ用シャフリングテーブル（ＲＡＭ）１２８ａに格納される。シャフリングテーブル１２８ｖは、ビデオシャフリング部１０７ｂおよび１１０のシャフリングのためのアドレス変換を行う。シャフリングテーブル１２８ａは、オーディオシャフリング１１７のためのアドレス変換を行う。
【０１００】
上述したように、ストリームコンバータ１０６からは、マクロブロック内の係数データ（可変長符号）の同じ周波数成分をまとめるように並び替えたビデオデータ（ピクチャデータ）が発生する。例えばストリームコンバータ１０６がＳＤＴＩ受信部１０５に対してリードリクエストを発生することによって、ＳＤＴＩ受信部１０５のバッファに蓄えられているストリームを読み込むようになされる。このリートリクエストをパッキングおよびシャフリング部１０７が発行しても良い。ストリームコンバータ１０６からは、ピクチャデータ以外のヘッダ情報等の非画像データも発生する。非画像データは、ＭＰＥＧシンタックスで規定されたヘッダ（ＰＥＳヘッダ、シーケンスヘッダ、ＧＯＰヘッダ、ピクチャヘッダ）、並びにピクチャヘッダ中のユーザデータとして含まれるアンシアリイデータ（Ancillary Data: クローズドキャプション、テレテキスト、ＶＩＴＣ等）である。非画像データは、画像フォーマット、ユーザデータの量等によってデータ量が変動する可変長データである。しかも、１フレーム当たりの非画像データの最大長を見積もることは難しい。また、ビデオエレメンタリストリームの場合でも、マクロブロック当たりのデータの最大長を見積もることが難しい。ＭＰＥＧシンタックスでは、マクロブロック当たりのデータが原データより多くなることが許容されている。例えば１フレームの全マクロブロックの内で、本来の画像データが少なく、その多くをユーザデータにすることも可能である。
【０１０１】
この発明では、非画像データをピクチャデータと同等に扱うので、ストリームコンバータ１０６からパッキングおよびシャフリング部１０７に対して非画像データも供給され、ピクチャデータと共にパッキングされる。非画像データに対してては、１マクロブロックのピクチャデータと同様に、一つの固定枠が割り当てられ、その先頭に長さ標識が付加される。従って、１編集単位例えば１フレーム期間の発生データ量を所定のものに制御する場合には、非画像データを含むデータ量が所定のものに制御され、１フレームの全マクロブロックの数に１を加えた数の固定枠にピクチャデータおよび非画像データがパッキングされる。この一実施形態では、１ＧＯＰが１枚のＩピクチャで構成され、１スライスが１マクロブロックで構成され、ピクチャデータがスライス１から開始するので、以下の説明では、便宜上、非画像データをスライス０と呼び、ピクチャデータのスライスを総称してスライスＸと呼ぶ。
【０１０２】
図１３および図１４を参照して、ストリームコンバータ１０６とパッキングおよびシャフリング部１０７との間のデータのインターフェースについて説明する。図１３は、スライスＸのインターフェースを示す。図１３Ａに示すシンクパルスと同期して、図１３Ｂに示すように、スライスＸのデータ（バイトシリアル）が転送される。転送レートは、入力画像データのフォーマットによって変わるが、例えばＭＰＥＧの規定の上限値である５０Ｍ bpsである。この転送レートに等しい周波数のベースバンドクロックが使用される。
【０１０３】
スライスＸの場合、シンクパルスが５４４クロックの周期で発生し、５４４クロック中で最大５１２クロック（５１２バイト）の期間でデータを転送するようになされる。各周期で、１スライスのピクチャデータが転送される。従って、５４４−５１２＝３２クロックの空き期間が周期的に存在する。１マクロブロックで発生するピクチャデータの最大長は、見積もりが難しいが、この一実施形態では、一例として、５１２バイトをスライスＸの１スライスが越えないように、ストリームコンバータ１０６において制限している。また、図１３Ｃに示すように、ストリームコンバータ１０６からは、各周期内で転送されるスライスの長さに一致した期間、ハイレベルとなるイネーブル信号をデータと同期して発生する。
【０１０４】
パッキングおよびシャフリング部１０７（パッキング部１０７ａ）では、図１３Ｄに示すように、シンクパルスでリセットされてからイネーブル信号のハイレベルの期間を計測することによって、各周期で転送されるスライスのデータ長を検出することができる。イネーブル信号を送る代わりに、パッキングおよびシャフリング部１０７において受け取ったデータをカウントする方法もあるが、予めストリームコンバータ１０６がストリームを知っているので、再度、パッキングおよびシャフリング部１０７において解析する必要がないことので、イネーブル信号を送るようにしている。
【０１０５】
図１４は、スライス０、すなわち、非画像データをストリームコンバータ１０６からパッキングおよびシャフリング部１０７へ転送するインターフェースを説明するものである。スライス０は、図１４Ｂに示すように、上述したスライスＸと同様に、５４４クロックの中の最大５１２クロックの区間を使用して転送される。従って、３２クロックの空き期間が周期的に存在する。但し、図１４Ａに示すように、スライス０の転送が終了するまでシンクパルスが発生せず、それによってスライス０が１スライスであることが指示される。図１４Ｃに示すように、各周期の中で、データの期間に対応してハイレベルとなるイネーブル信号も転送される。パッキングおよびシャフリング部１０７（パッキング部１０７ａ）では、図１４Ｄに示すように、シンクパルスでリセットされてからイネーブル信号のハイレベルの期間を計測することによって、スライス０のデータ長を検出することができる。
【０１０６】
なお、スライスＸは、図１３Ｅに示すように、固定の３バイトのスタートコード（０００００１）Ｈ（Ｈは１６進を意味する）の後に、スライススタートコード（０１）Ｈ〜（ＡＦ）Ｈが続くように規定されている。一方、スライス０の場合には、図１４Ｅに示すように、固定の３バイトのスタートコードの後に、sequence header code（Ｂ３）Ｈが続く。従って、スライス０とスライスＸとを識別するために、スライス０の場合には、スタートコードを（００００００）Ｈに変更する。他の方法として、スタートコードを共に（０００００１）Ｈとして、その後が（Ｂ３）Ｈかどうかを調べて、スライス０とスライスＸとを識別するようにしても良い。
【０１０７】
上述したインターフェースは、要約すると、スライスＸのシンクパルスの間隔が５４４クロックの固定とし、有効データの区間をイネーブル信号で示し、その最大長を５１２クロックとし、シンクパルスの間隔内でイネーブル信号の立ち上がりおよび立ち下がりがそれぞれ１回とされる。スライス０については、１シンク間隔内で、イネーブル信号の立ち上がりおよび立ち下がりが複数回あることがある。さらに、図１３Ｂおよび図１４Ｂにおいて斜線で示すように、スライス０およびスライスＸの何れの場合でも、シンクパルスの間隔より有効データの区間が短いので、データが転送されない空き期間が生じる。この空き期間をスライス０およびスライスＸの両者に関して設けることによって、空き期間において、オーディオデータの処理（エラー訂正符号化、シャフリング処理）をピクチャデータと共通のメインメモリ１６０を使用して行うことが可能となり、また、瞬間的に必要となるメインメモリ１６０の転送レートを下げることができ、消費電力の削減や内部メモリをなくすことが可能となる。
【０１０８】
シンクパルスは、ストリームコンバータ１０６がビデオエレメンタリストリームから以下のような順序で生成する。
【０１０９】
0003978903.tif 000002
にシンクパルスをhighとする。その後は、slice header(MB data) までlow のままとする。従って、user data のstart code等にはシンクパルスを付けない。
【０１１０】
さらに、上述したように、データを転送するインターフェースについて図１５を参照してより詳細に説明する。図１５Ａがシンクパルスを示し、図１５Ｂがストリームコンバータ１０６からのビデオエレメンタリストリームを示す。図１５Ｂの例では、シンクパルスの間隔（５４４クロック）を４個使用してスライス０のデータを間欠的に転送し、その後、スライス１から順に転送している。
【０１１１】
スライス０がシーケンスヘッダが始まる場合では、スライス０のデータの内容は、例えば図１５Ｃに示すものである。スライス０は、第１のデータ部分、第２のデータ部分、第３のデータ部分からなる。第１のデータ部分は、sequence header() 、sequence extension()およびextension and user data(0)からなる。第２のデータ部分は、group of pictures header()およびextension and user data(1)からなる。第３のデータ部分は、picture header()、picture coding extension()およびextension and user data(2)からなる。この一実施形態では、ピクチャ毎にsequence header() 、group of pictures header()、picture header()を必ずスライス０として付けるようにしている。さらに、スライスＸ（スライス１、スライス２、・・・）には、それぞれslice() の後にmacroblock()が続くデータである。extension and user data() には、ビデオインデックス（垂直ブランキング期間内の特定のライン中に挿入されるコード化された情報）、ビデオアンシラリイデータ，クローズドキャプション、テレテキスト、ＶＩＴＣ（垂直ブランキング期間内に記録されるタイムコード）、ＬＴＣ（テープ長手方向に記録されるタイムコード）などのデータが収められる。
【０１１２】
各データの内容および多重化方法は、ＭＰＥＧシンタックス(ISO/IEC 13818-2) において規定されている。その一部について説明すると、図１６がスタートコード値の規定を示す。スタートコードは、ビデオエレメンタリストリーム中で特異なビットパターンを有する。各スタートコードは、２バイトの所定のビット列(0000 0000 0000 0000) の後にスタートコード値が続くものである。例えばslice start codeが（０１〜ＡＦ）と規定され、sequence header codeが（Ｂ３）と規定されている。
【０１１３】
また、図１７は、ＭＰＥＧシンタックス（ビデオシーケンス）を示すものである。図１７中で現れ、上述したようなデータ、すなわち、sequence header() 、sequence extension()、extension and user data() 、group of pictures header()、picture header()、picture coding extension()がスライス０（非画像データ）として扱われる。
【０１１４】
図１８は、Sequence header の内容を示すものである。例えばhorizontal size value （１２ビット）が画像の横の画素数を表し、bit rate valueがビットレートを表す。図１９は、Group of pictures headerの内容を表す。例えばtime code がシーケンスの先頭からの時間を示し、closed gopは、ＧＯＰ内の画像が他のＧＯＰから独立して再生可能なことを示す。図２０は、Picture headerの内容を示す。例えばpicture coding type がピクチャタイプを示し、full pel forward vector が動きベクトルの精度が整数画素か半画素単位かを示す。
【０１１５】
上述した一実施形態では、インターフェースのデータ幅を８ビットとして説明したが、他のビット幅でも良く、データ転送可能な期間（５１２クロック）および空き期間（３２クロック）の値は、一例であり、１フレームより短かければ、スライスＸのデータ長に応じて種々の値に設定可能である。また、シンクパルスのデータに対する位置や、極性も一実施形態のものに限定されない。さらに、この発明は、ＭＰＥＧ２のみならず、ＭＰＥＧ１のストリームに対しても適用可能なことは勿論であるが、ＭＰＥＧ以外でも、ヘッダ部分がストリーム内に存在するようなビデオストリームに対しても適用できる。さらに、スライスの長さ情報を算出する方法は、一実施形態の方法に限定されない。よりさらに、シンクパルスは、ストリームコンバータが生成するのに限らず、パッキングおよびシャフリング部がストリームを解析することによって生成することも可能である。
【０１１６】
なお、この発明は、磁気テープ以外の光テープ、光ディスク（光磁気ディスク、相変化型ディスク）等の記録媒体を使用する場合、データを伝送路を介して伝送する場合に対しても適用することができる。
【０１１７】
【発明の効果】
この発明では、画像データを転送する時に、周期的にデータを転送しない空き期間を設けることによって、この空き期間で他のオーディオデータ、ＡＵＸデータ等の処理を行うことができる。従って、他のデータを処理するためのバッファメモリを内部に持つ必要がなく、また、パンド幅が高くなり、消費電力が増大する問題が発生しない。
【図面の簡単な説明】
【図１】この発明の一実施形態の記録側の構成を示すブロック図である。
【図２】この発明の一実施形態の再生側の構成を示すブロック図である。
【図３】トラックフォーマットの一例を示す略線図である。
【図４】トラックフォーマットの他の例を示す略線図である。
【図５】シンクブロックの構成の複数の例を示す略線図である。
【図６】シンクブロックに付加されるＩＤおよびＤＩＤの内容を示す略線図である。
【図７】ビデオエンコーダの出力の方法と可変長符号化を説明するための略線図である。
【図８】ビデオエンコーダの出力の順序の並び替えを説明するための略線図である。
【図９】順序の並び替えられたデータをシンクブロックにパッキングする処理を説明するための略線図である。
【図１０】ビデオデータおよびオーディオデータに対するエラー訂正符号を説明するための略線図である。
【図１１】記録信号処理部のより具体的なブロック図である。
【図１２】使用するメモリのメモリ空間を示す略線図である。
【図１３】画像データの転送方法を説明するためのタイミングチャートである。
【図１４】非画像データの転送方法を説明するためのタイミングチャートである。
【図１５】ビデオストリームの転送方法を説明するためのタイミングチャートである。
【図１６】ＭＰＥＧシンタックスのスタートコード値の規定を示す略線図である。
【図１７】ＭＰＥＧシンタックスを説明するための略線図である。
【図１８】ＭＰＥＧシンタックスを説明するための略線図である。
【図１９】ＭＰＥＧシンタックスを説明するための略線図である。
【図２０】ＭＰＥＧシンタックスを説明するための略線図である。
【符号の説明】
１０６・・・ストリームコンバータ、１０７・・・パッキングおよびシャフリング部、１０９、１１６・・・外符号エンコーダ、１１０、１１７・・・シャフリング部、１１８・・・ＩＤ付加部、１２０・・・同期付加部、１６０・・・メインメモリ
【図１】
0003978903.tif 000003
【図２】
0003978903.tif 000004
【図３】
0003978903.tif 000005
【図４】
0003978903.tif 000006
【図５】
0003978903.tif 000007
【図６】
0003978903.tif 000008
【図７】
0003978903.tif 000009
【図８】
0003978903.tif 000010
【図９】
0003978903.tif 000011
【図１０】
0003978903.tif 000012
【図１１】
0003978903.tif 000013
【図１２】
0003978903.tif 000014
【図１３】
0003978903.tif 000015
【図１４】
0003978903.tif 000016
【図１５】
0003978903.tif 000017
【図１６】
0003978903.tif 000018
【図１７】
0003978903.tif 000019
【図１８】
0003978903.tif 000020
【図１９】
0003978903.tif 000021
【図２０】
0003978903.tif 000022